【事件の表示】
　特願２０１４−５１８５４０「経皮エネルギー伝送充電システムに対する自動電力調整」拒絶査定不服審判事件〔平成２５年　６月２０日国際公開，ＷＯ２０１３／０８９７７５，平成２６年１０月３０日国内公表，特表２０１４−５２９２８１〕について，次のとおり審決する。
【結　論】
　本件審判の請求は，成り立たない。
【理　由】
第１　手続の経緯
　本願は，２０１１年（平成２３年）１２月１６日を国際出願日とする出願であって，平成２６年７月７日付けで通知された拒絶の理由に対して，平成２６年１２月１０日付けで意見書及び手続補正書が提出されたが，平成２７年２月５日付けで拒絶査定（発送日：平成２７年２月１０日）がなされ，これに対して平成２７年６月９日に審判請求がなされ，その後，平成２７年７月１５日付けで請求理由の手続補正書が提出されたものである。
　
第２　本願発明
　本願の請求項１乃至３８に係る発明は，平成２６年１２月１０日付けの手続補正書により補正された特許請求の範囲の請求項１乃至３８に記載された事項により特定されるとおりのものと認められるところ，その請求項１に記載された発明（以下「本願発明」という。）は次のとおりである。
　
「一次コイルから電力を経皮的に伝送する伝送ステップと，
　患者の体内の二次コイルからの応答が検出されたかどうかを判定する判定ステップと，
　前記二次コイルから応答を受信しない場合には，前記一次コイルの電力出力を低下させる電力出力低下ステップと，
を含む，経皮エネルギー伝送システムにおける一次コイルからの電力出力を制御する方法。」
　
第３　引用例とその記載事項
（１）原査定の拒絶の理由に引用された，本願の国際出願日前に頒布された刊行物である特開平１０−２５８１２９号公報（以下「引用例１」という。）には，図面とともに以下の事項が記載されている。
　
・「【０００１】
【発明の属する技術分野】本発明は，生体植え込み機器用の体内電池を体外から充電するための体外充電器を有する心臓ペースメーカ装置に関する。
【０００２】
【従来の技術】心臓ペースメーカ等生体植え込み機器の制御回路などへ給電をするためのデバイスとして，体積当たりのエネルギ量の大きな一次電池が用いられている。しかし，一次電池は充電できないので，電池が寿命に達すると新しい電池が充填された機器の再植え込みなどが必要なり，患者にとって精神的，肉体的負担が大きい。このため，充電が可能な二次電池の導入が望まれている。
【０００３】
　ただし，二次電池を有する生体植え込み機器に対して体外から経皮充電を行うためには，二次電池の充電状況に基づいて，充電動作を継続するか否か等を判断するための情報を体外へ送信する必要がある。また，使用する二次電池の特性に適合した充電方法が必要であると共に，充電の際の異常発熱の対策等も必要である。
【０００４】
　従来，このような充電制御を実施するには，インバータ回路により体外側から交流電磁界を連続して発生させて体内側に送電し，体内側からは，二次電池に対する充電監視情報や充電に伴う異常監視検出情報などをテレメトリにより体外側装置に常時送信し，体外側装置で異常による送電の停止などを含めた充電動作を実行していた。」
　
・「【０００９】
【課題を解決するための手段】上記の目的を達成するため，本発明の心臓ペースメーカ装置は，生体内に植え込まれる機器に対して電気エネルギを供給するために生体内に埋め込まれる電池と，上記生体内の電池を充電するための交流電磁界を体外で発生して経皮的に上記電池に送電するための経皮充電手段と，上記生体内において上記電池の充電状況を監視してその充電監視制御情報を経皮的に体外に送信するための充電情報監視手段と，上記充電情報監視手段から送られてくる充電監視制御情報を体外で受信してその信号の内容に応じて上記経皮充電手段の動作を制御する充電制御手段と，上記充電により生じる植え込み機器の発熱などの異常を監視検出する充電異常監視検出手段と，上記充電異常監視検出手段により検出した内容に応じて上記生体内の充電回路の入力を切断し或いは電池の印加電圧が所定値を越えないよう抑制して充電するための充電印加電圧抑制手段と，……とを有する，生体植え込み機器及び体外充電器からなる心臓ペースメーカ装置において，体外からの充電開始コマンドを上記生体植え込み機器が受信することにより，上記生体内の充電異常監視検出手段，充電情報監視手段および充電エネルギ抑制手段が活性状態になり，上記体外の経皮充電手段が上記生体内の電池を充電するための交流電磁界を間欠的に発生して，その交流電磁界が発生していない時間帯に上記体内の充電情報監視手段と上記体外の充電制御手段との間で充電監視制御情報の送受信を行って充電動作を行うため上記生体内の制御手段が充電モード動作に推移し，上記体外の経皮充電手段から充電停止コマンドを受信することにより，上記生体内の充電情報監視手段，充電エネルギ抑制手段及び充電異常監視検出手段が非活性状態になり，上記生体内の制御手段が非充電モード動作に推移すること特徴とする。」
　
・「【００１６】
【発明の実施の形態】図面を参照して本発明の実施の形態を説明する。図１は，生体植え込み機器５０と体外充電器１からなる心臓ペースメーカ装置の全体構成図である。
【００１７】２は，生体植え込み機器５０としての心臓ペースメーカに経皮充電するために，体外に配置された充電用の電源としての一次電池である。……。」
　
・「【００２５】５２は，植え込み機器ケース５１内に搭載された受電用コイルであり，充電のための交流電磁界を生体の皮膚７０および植え込み機器ケース５１を介して，体外の送電用コイル３１から受電する。」
　
・「【００３３】充電監視制御回路５６からの送信信号は，送受信アンテナコイル５８から植え込み機器ケース５１と生体の皮膚７０とを介して体外に伝達され，体外側のテレメトリ信号送受信アンテナコイル３２で受信される。
【００３４】３３は体外側のテレメトリ送受信回路であり，受信したテレメトリ信号を復調して充電監視制御情報に変換したり，充電監視制御情報により充電制御回路３５で充電動作を停止するとき植え込み機器５０側での充電に係わる異常を監視検出する回路などを非活性にし，心臓ペースメーカの制御モードを非充電モード（通常のモード）に推移させてもよい様に充電停止コマンドなどをデレメトリ信号として変調して送信する。」
　
・「【００４１】２００は，体外充電器１から植え込み機器５０に充電を行うに際し，植え込み機器５０との間で充電動作に先立つ情報の授受を行う動作であり，充電のための交流電磁界の発生を伴わない状態（通常の状態）でテレメータリングが実施される。
【００４２】充電動作に先立って植え込み機器５０が非充電モード動作１００の状態との情報の授受は次のように実施される。まず，体外充電器１から植え込み機器５０に通信のためのテレメータリングの動作要求信号（○に１）が送信され，その要求信号を植え込み機器５０が受信し，テレメータリングの動作が可能な状態を判断することにより，体外充電器１にテレメータリング受付可能信号（○に２）を送信する。
【００４３】次に，体外充電器１は，植え込み機器５０に対し，機器の型名，製造番号，電池型番などの所定のＩＤ情報等の読み取り要求信号（○に３）を送信し，その要求信号を植え込み機器５０が受信することにより，植え込み機器５０毎に予め付与されている所定のＩＤ情報を植え込み機器５０が検索し，その情報を植え込み機器５０のＩＤ情報等（○に４）として体外充電器１に送信する。
【００４４】植え込み機器５０のＩＤ情報を受信した体外充電器１は，その情報を基に，植え込み機器５０に対して充電動作を実施するのが妥当か否かの判断や，埋め込まれている二次電池５３の種類などによる固有の充電特性の設定準備などを実施し所定の条件に合った後に，植え込み機器５０に対して充電開始コマンド（○に５）を送信する。」
　
・「【００５０】１０５は，二次電池５３の充電動作期間において電池に対する充電電流値や電池の電圧値などの充電情報を所定の期間毎にサンプリング検出して，それらの情報を読み取る電池充電情報読み取り動作であり，電流監視抵抗器５４に生ずる電位などから充電監視制御回路５６を作動させて実施する。
【００５１】この充電情報の読み取り値は，充電監視情報１０６として，テレメトリ送受信回路５７および送受信アンテナコイル５８により体外側に充電監視制御情報として送信される。
【００５２】なお，上記充電情報読み取り値が予め定められた所定の範囲を逸脱した値であるときには，充電に係わる何がしかの異常があることが懸念されるため，その旨充電異常監視検出手段１０３に信号が出力される。
【００５３】１０７は，充電期間監視タイマであり，体外の充電器から充電開始コマンドを受信すると，その起動が非充電モードとの共通監視検出手段１０２から実施される。
【００５４】予め定められた規定の充電期間を超過しても体外充電器１の充電動作が終了しないと，充電期間監視タイマ１０７は，タイムアウト信号を出力し，充電異常監視検出手段１０３にその旨の信号を送信すると共に，体外充電器１に充電動作を停止するよう要求信号としてインバリッド情報１１０を生成する。
【００５５】インバリッド情報１１０は，電池充電情報として予め定めた有効な規定内であるバリッド情報を逸脱した情報であり，充電監視情報１０６として体外充電器１に送信される。」
　
・「【００６２】図４は，体外充電器１が植え込み機器５０に充電開始コマンドを送信した後，体外充電器１が稼動する充電動作全体の流れ図であり，体外充電器１に設けられた回路において制御が実行される。
【００６３】２０２は，充電すべき二次電池５３の種類などによって予め定められている所定の充電特性に基づき充電を行うための初期設定であり，その設定の後に，インバータ制御回路３４，充電制御回路３５，変圧回路１０およびインバータ回路２０をそれぞれ適切に稼動させるための充電監視情報に基づく充電器出力制御２０５が実施されると共に，予め定められた充電期間を監視するため充電期間監視タイマ２０６が起動される。
【００６４】２０３は，植え込み機器５０から送信される充電監視制御情報の受信内容が充電制御動作の停止を要求するインバッリド情報であるか否かの判断過程であり，その内容が充電停止要求である場合には，充電監視情報に基づく充電器出力制御２０５のその時点までの制御過程などによる状況との照合判断２０８，２０９により，強制終了の充電停止２１０か，或いは正常終了の充電停止２１１の状態に移る。
【００６５】２０４は，植え込み機器５０から送信される充電監視制御情報が体外充電器１に対する充電停止を要求するインバリッド情報でない場合において，二次電池５３の充電監視情報が所定の指定パラメータ値の範囲であるか否かの判断過程であり，その範囲を逸脱していないときには，上記充電監視情報に基づく充電器出力制御２０５が実施される。」
・段落【００２５】の記載事項から，植え込み機器５０は患者の体内の受電用コイル５２を備えることが理解できる。
　これらの記載事項及び図示内容を総合すると，引用例１には，次の事項からなる発明が記載されていると認められる。（以下，この発明を「引用発明」という。）
「充電のための交流電磁界を生体の皮膚７０を介して，体外の送電用コイル３１から受電用コイル５２に送電するステップと，
　体外充電器１から植え込み機器５０に通信のためのテレメータリングの動作要求信号が送信され，その要求信号を植え込み機器５０が受信し，テレメータリングの動作が可能な状態を判断することにより，体外充電器１にテレメータリング受付可能信号を送信し，植え込み機器５０のＩＤ情報を受信した体外充電器１は，その情報を基に，患者の体内の受電用コイル５２を備えた植え込み機器５０に対して充電動作を実施するのが妥当か否かの判断するステップと，
　二次電池５３の充電動作期間において電池に対する充電電流値や電池の電圧値などの充電情報を所定の期間毎にサンプリング検出して，充電監視制御回路５６を作動させ，充電情報読み取り値が予め定められた所定の範囲を逸脱した値であるときには，充電に係わる何がしかの異常があることが懸念されるため，その旨充電異常監視検出手段１０３に信号が出力され，植え込み機器５０から送信される充電監視制御情報の受信内容が充電制御動作の停止を要求するインバッリド情報である場合，充電停止の状態に移るステップと，
　を含む，生体植え込み機器５０としての心臓ペースメーカの二次電池５３に経皮充電するための充電器出力を制御する方法。」
　
（２）同じく原査定の拒絶の理由に引用された，本願の国際出願日前に頒布された刊行物である特開２００２−３４１６９号公報（以下「引用例２」という。）には，図面とともに以下の事項が記載されている。
・「【０００１】
【発明の属する技術分野】
　本発明は，携帯電話機等の電子機器に内蔵された二次電池を充電するための充電装置に関するものである。
【０００２】
【従来の技術】従来，携帯電話機の充電装置として，携帯電話機と充電器とが電気的に接触せず，両者の磁気的結合によって充電を行なう非接触型の充電装置が知られている。非接触型の充電装置においては，充電器に一次コイルが配備されると共に，携帯電話機に二次コイルが配備されており，携帯電話機を充電器の凹部に設置することによって，一次コイルから発生する交流磁力線が二次コイルを貫通して，二次コイルに交流の起電力が発生する。該起電力は直流の電力に変換されて，二次電池に供給され，これによって二次電池が充電されるのである。」
　
・「【０００３】
【発明が解決しようとする課題】ところで，非接触型の充電装置においては，携帯電話機を設置すべき充電器の凹部に，コイン等の金属物が投入されると，渦電流によって金属物が発熱する問題がある。……。
【０００４】そこで本発明の目的は，充電器にコイン等の金属物が投入されたとしても発熱の危険がなく，然も充電器の形状に設計上の制約が生じない非接触型の充電装置を提供することである。」
　
・「【０００５】
【課題を解決する為の手段】本発明に係る非接触型充電装置は，電子機器の設置部を有する充電器に配備された一次側充電回路(５)と，電子機器に配備された二次側充電回路(６)とから構成される。一次側充電回路(５)は，電子機器の設置部に向けて交流磁界を発生すべき一次コイル(41)と，該一次コイル(41)に併設された検出コイル(42)と，検出コイル(42)に発生する起電力の大きさに基づいて，一次コイル(41)が発生する交流磁界の大きさを制御する一次側制御回路とを具えている。二次側充電回路(６)は，前記一次コイル(41)から発生する交流磁界を受けるべき二次コイル(21)と，二次コイル(21)と二次電池(８)の間に介在して二次電池(８)を充電する二次側制御回路とを具えている。二次側制御回路は，充電開始時に充電負荷を所定のパターンで変動させる手段を具え，一次側制御回路は，検出コイル(42)に発生する起電力に基づいて，前記充電負荷の変動を検知し，所定期間内に充電負荷が所定のパターンで変動したことを検知したときに限り，一次コイル(41)が発生する交流磁界を充電に必要な大きさに維持することを特徴とする。」
　
・「【０００６】上記本発明の非接触型充電装置においては，電子機器を充電器に設置することによって，充電器に配備された一次側充電回路(５)の一次コイル(41)と，電子機器に配備された二次側充電回路(６)の二次コイル(21)とが，互いに磁気的に結合して，二次電池(８)の充電が開始される。これと同時に，一次側充電回路(５)の一次コイル(41)は検出コイル(42)とも磁気的に結合し，検出コイル(42)には，充電負荷に応じた起電力が発生する。電子機器に配備された二次側充電回路(６)は，充電開始時に充電負荷を所定のパターンで変動させる。この結果，充電器に配備された一次側充電回路(５)の検出コイル(42)には，充電負荷の変動に応じたパターンで起電力が発生することになる。そこで，一次側制御回路は，検出コイル(42)に発生する起電力のパターンが前記充電負荷の変動パターンと一致している場合に，充電器に電子機器が設置されたものとして，一次コイル(41)が発生する交流磁界を充電に必要な大きさに維持する。これに対し，検出コイル(42)に発生する起電力のパターンが前記充電負荷の変動パターンと一致しない場合は，充電器にコイン等の金属物が投入されたものとして，一次コイル(41)が発生する交流磁界を微弱な大きさに切り替える。
【０００７】充電負荷を所定のパターンで変動させる方法としては，二次側制御回路に装備されている充電制御用のトランジスタ(63)をオン／オフ制御する方法や，二次側制御回路に，二次コイル(21)からの電流を供給すべき抵抗を設けて，該抵抗に対する通電をトランジスタ等によってオン／オフ制御する方法を採用することが出来る。」
　
・「【００１３】……ここで，給電制御回路(53)の制御により，一次コイル(41)の発生磁界を微弱磁界と強磁界の間で切り替えることが出来る。又，一次コイルユニット(４)には，一次コイル(41)に対して検出コイル(42)が併設され，該検出コイル(42)に発生する起電力に基づいて，給電制御回路(53)は充電負荷の変動を検出することが可能となっている。」
　
・「【００１８】図７は，充電器に配備されている一次側充電回路(５)の制御動作を表わしている。先ずステップＳ１にて，一次コイル(41)の出力を微弱磁界に設定し，ステップＳ２では，検出コイル(42)によって負荷検出を行なう。充電器に携帯電話機が設置されると，充電器の一次コイル(41)と携帯電話機の二次コイル(21)とが磁気的に結合し，二次側充電回路(６)が稼動すると，充電負荷が増大する。この結果，検出コイル(42)に発生する起電力が低下するので，これをもって負荷検出と判断する。尚，充電器から携帯電話機(負荷)が除去されると，検出コイル(42)に発生する起電力は最大となり，これをもって負荷除去と判断することが出来る。
【００１９】充電器に携帯電話機が設置されて，ステップＳ２にてイエスと判断されると，ステップＳ３では，一次コイル(41)から強磁界を出力し，その後，ステップＳ４にて，タイマーＴをスタートさせる。続いて，ステップＳ５では，検出コイル(42)によって所定パターンの負荷変動が検出されたかどうかを判断し，ここでノーと判断されたときは，ステップＳ６に移行して，更に負荷(携帯電話機)が除去されたかどうかを判断する。ここでイエスと判断されたときはステップＳ１に戻り，ノーと判断されたときは，ステップＳ７に移行して，タイマーＴが所定時間Ｔo(例えば５分間)を経過したかどうかを判断する。
【００２０】ステップＳ７にてノーと判断されたときはステップＳ５に戻って，所定パターンの負荷検出を繰り返す。その後，ステップＳ５にてイエスと判断されたときはステップＳ９に移行して，負荷(携帯電話機)が除去されたかどうかを判断し，イエスと判断されるまで，強磁界の出力を維持する。そして，ステップＳ９にてイエスと判断されたとき，ステップＳ１に戻って，微弱磁界の出力に切り替える。ステップＳ７にてイエスと判断されたときは，ステップＳ８に移行して，一次コイル(41)から微弱磁界を出力した後，ステップＳ９の負荷除去の判断に移行する。」
　
・「【００２２】次に図８のステップＳ１５にて，充電動作を定常的にオンに設定した後，ステップＳ１６では，前記ＯＮ＿ＨＯＯＫ信号に基づいて，充電オフフック(携帯電話機が充電器から除去されたこと)を検出したかどうかを判断する。ここで，イエスと判断されたときは，ステップＳ１８に移行して，充電動作をオフとした後，ステップＳ１１に戻る。ステップＳ１６にてノーと判断されたときは，ステップＳ１７に移行して，充電終止条件(所定の終止電流及び終止電圧に達し，且つ異常のないこと)を検出したかどうかを判断する。ここでノーと判断されたときはステップＳ１６に戻り，イエスと判断されたときはステップＳ１８に移行して，充電動作をオフとした後，ステップＳ１１に戻る。
【００２３】図７及び図８の手続きによれば，充電器に携帯電話機を設置することによって，充電器の一次コイルから出力される微弱磁界(ステップＳ１)によって，携帯電話機では，ＯＮ＿ＨＯＯＫ信号がオンとなって，充電オンフックが検出され(ステップＳ１１)，充電が開始される(ステップＳ１２)。この結果，充電器では，負荷が検出され(ステップＳ２)，一次コイルからは強磁界が出力される。その後，携帯電話では，一定時間(３秒間)の経過(ステップＳ１３)によって磁界が安定した後，充電のオン／オフ制御が行なわれる(ステップＳ１４)。　これに応じて，充電器では，所定パターンの負荷変動が検出され(ステップＳ５)，この結果，負荷が除去されるまで(ステップＳ９)，強磁界の出力が継続される。そして，この強磁界を携帯電話機の二次コイルが受けて，二次電池の充電が行なわれるのである。
【００２４】これに対し，充電器にコイン等の金属物が投入されたときは，充電器の一次コイルから出力される微弱磁界を金属物が受けて，負荷が検出され(ステップＳ２)，一次コイルからは一旦，強磁界が出力されるが，所定のタイマー期間内に所定パターンの負荷変動が検出されることはないので，該タイマー期間の経過時点で，微弱磁界の出力に切り替えられることになる(ステップＳ８)。従って，金属物が過熱する危険はない。」
　
　
第４　発明の対比
　本願発明と引用発明とを対比すると，後者の「体外の送電用コイル３１」は前者の「一次コイル」に相当し，以下同様に，「受電用コイル５２」は「二次コイル」に相当する。
　後者の「充電のための交流電磁界を生体の皮膚７０を介して，体外の送電用コイル３１から受電コイル５２に送電するステップ」は，前者の「一次コイルから電力を経皮的に伝送する伝送ステップ」に相当する。
　後者の「体外充電器１から植え込み機器５０に通信のためのテレメータリングの動作要求信号が送信され，その要求信号を植え込み機器５０が受信し，テレメータリングの動作が可能な状態を判断することにより，体外充電器１にテレメータリング受付可能信号を送信し，植え込み機器５０のＩＤ情報を受信した体外充電器１は，その情報を基に，患者の体内の受電用コイル５２を備えた植え込み機器５０に対して充電動作を実施するのが妥当か否かの判断するステップ」と，前者の「患者の体内の二次コイルからの応答が検出されたかどうかを判定する判定ステップ」とは，「患者の体内の二次コイルを備えた装置からの情報を基に判定する判定ステップ」で一致している。
　後者において，「充電停止」することは，体外の送電用コイル（本願発明の「一次コイル」に相当するもの）の電力出力を低下させることになるから，後者の「二次電池５３の充電動作期間において電池に対する充電電流値や電池の電圧値などの充電情報を所定の期間毎にサンプリング検出して，充電監視制御回路５６を作動させ，充電情報読み取り値が予め定められた所定の範囲を逸脱した値であるときには，充電に係わる何がしかの異常があることが懸念されるため，その旨充電異常監視検出手段１０３に信号が出力され，植え込み機器５０から送信される充電監視制御情報の受信内容が充電制御動作の停止を要求するインバッリド情報である場合，充電停止の状態に移るステップ」と，前者の「前記二次コイルから応答を受信しない場合には，前記一次コイルの電力出力を低下させる電力出力低下ステップ」とは，「前記二次コイルを備えた装置からの情報を基に，一次コイルの電力出力を低下させる電力出力低下ステップ」の点で一致する。
　そして，後者の「生体植え込み機器５０としての心臓ペースメーカの二次電池５３に経皮充電するための充電器出力を制御する方法。」は，前者の「経皮エネルギー伝送システムにおける一次コイルからの電力出力を制御する方法。」に相当する。
　そうすると，両者は，
「一次コイルから電力を経皮的に伝送する伝送ステップと，
　患者の体内の二次コイルを備えた装置からの情報を基に判定する判定ステップと，
　前記二次コイルを備えた装置からの情報を基に，前記一次コイルの電力出力を低下させる電力出力低下ステップと，を含む，経皮エネルギー伝送システムにおける一次コイルからの電力出力を制御する方法。」
である点で一致し，次の各点で相違していると認められる。
＜相違点１＞
　本願発明では，「患者の体内の二次コイルからの応答が検出されたかどうかを判定する判定ステップ」を備えるのに対し，引用発明では，患者の体内の二次コイルを備えた装置からの情報を基に判定する判定ステップを備えるものの，そのような特定はなされていない点。
＜相違点２＞
　前記二次コイルを備えた装置からの情報を基に，前記一次コイルの電力出力を低下させることに関して，「前記二次コイルを備えた装置からの情報を基に」が，本願発明では，「前記二次コイルから応答を受信しない場合に」前記一次コイルの電力出力を低下させるものであるのに対し，引用発明では，「二次電池５３の充電動作期間において電池に対する充電電流値や電池の電圧値などの充電情報を所定の期間毎にサンプリング検出して，充電監視制御回路５６を作動させ，充電情報読み取り値が予め定められた所定の範囲を逸脱した値であるときに」充電停止する点。
　
第５　相違点についての判断
　引用例２の段落【００１８】の「充電器に携帯電話機が設置されると，充電器の一次コイル(41)と携帯電話機の二次コイル(21)とが磁気的に結合し，二次側充電回路(６)が稼動すると，充電負荷が増大する。この結果，検出コイル(42)に発生する起電力が低下するので，これをもって負荷検出と判断する。尚，充電器から携帯電話機(負荷)が除去されると，検出コイル(42)に発生する起電力は最大となり，これをもって負荷除去と判断することが出来る。」という記載事項と段落【０００６】の「上記本発明の非接触型充電装置においては，電子機器を充電器に設置することによって，充電器に配備された一次側充電回路(５)の一次コイル(41)と，電子機器に配備された二次側充電回路(６)の二次コイル(21)とが，互いに磁気的に結合して，二次電池(８)の充電が開始される。これと同時に，一次側充電回路(５)の一次コイル(41)は検出コイル(42)とも磁気的に結合し，検出コイル(42)には，充電負荷に応じた起電力が発生する。」という記載事項を考慮すると，充電器から携帯電話機(負荷)が除去されると，一次コイル(41)と２次コイル(21)の磁気的な結合がなくなることから，検出コイル(42)に発生する起電力が最大となって，負荷除去と判断されること，つまり，「二次コイルからの応答が検出されたかどうかを判定する判定ステップ」と「二次コイルからの応答を受信しない場合」が開示されているといえる。
　さらに，引用例２の「【００１９】充電器に携帯電話機が設置されて，ステップＳ２にてイエスと判断されると，ステップＳ３では，一次コイル(41)から強磁界を出力し，その後，ステップＳ４にて，タイマーＴをスタートさせる。続いて，ステップＳ５では，検出コイル(42)によって所定パターンの負荷変動が検出されたかどうかを判断し，ここでノーと判断されたときは，ステップＳ６に移行して，更に負荷(携帯電話機)が除去されたかどうかを判断する。ここでイエスと判断されたときはステップＳ１に戻り，ノーと判断されたときは，ステップＳ７に移行して，タイマーＴが所定時間Ｔo(例えば５分間)を経過したかどうかを判断する。
【００２０】ステップＳ７にてノーと判断されたときはステップＳ５に戻って，所定パターンの負荷検出を繰り返す。その後，ステップＳ５にてイエスと判断されたときはステップＳ９に移行して，負荷(携帯電話機)が除去されたかどうかを判断し，イエスと判断されるまで，強磁界の出力を維持する。そして，ステップＳ９にてイエスと判断されたとき，ステップＳ１に戻って，微弱磁界の出力に切り替える。ステップＳ７にてイエスと判断されたときは，ステップＳ８に移行して，一次コイル(41)から微弱磁界を出力した後，ステップＳ９の負荷除去の判断に移行する。」という記載事項と図７の内容からみて，ステップＳ６やステップＳ９で充電器から負荷（携帯電話機）が除去されたと判断された場合には，強磁界出力をしていた一次コイル(41)からの出力を微弱磁界とすることが理解できる。
　そうすると，これらの事項からみて，
「二次コイルからの応答を受信しない場合に一次コイルの電力出力を低下させる電力出力低下ステップを備えること」
が開示されているといえる。
　してみれば，引用例２には，
「二次コイルからの応答が検出されたかどうかを判定する判定ステップと，前記二次コイルからの応答を受信しない場合に前記一次コイルの電力出力を低下させる電力出力低下ステップを備える，一次コイルから二次コイルへ非接触で電力を伝送する方法」
が開示されているといえる。
　
　そして，引用発明，引用例２に開示された事項は，いずれも，一次コイルから二次コイルへ非接触で電力を伝送する技術に関するものであって，二次コイルを備えた装置の二次コイルからの情報を基に，一次コイルの出力を制御する基本構成も共通しており，引用例２に開示された事項も，負荷除去時の出力抑制を図ったものといえるが，このような出力抑制は非接触充電の分野における周知の課題であって，引用発明においても，当業者は不要輻射や無駄な電力消費の抑制が望ましいと認識するものである。
　そうすると，引用発明において，引用例２に開示された事項を適用して，相違点１，２に係る本願発明の発明特定事項とすることは当業者が容易に想到し得たことである。
　また，本願発明の奏する効果について検討しても，引用発明，及び，引用例２に開示された事項から格別顕著なものがもたらせるものではない。
　
＜請求人の主張について＞
　請求人は，審判請求書において，「引用文献１に記載された発明は，……生体植え込み機器が各種状況を監視し続け，体外の充電器はその監視結果に基づいて充電を制御することを特徴とするものである（請求項１，及び段落［０００９］，［００３５］，［００５０］−［００５２］，［００５７］−［００５８］参照）。このような動作を可能とするために，生体植え込み機器は，体外の充電器と常に通信できるように，常に充電器の付近に存在し続ける必要がある。そのため，引用文献１に記載された発明において，体外の機器（充電器）が体内の生体植え込み機器から応答を受信しない状況は考えられない。このことから，引用文献１に記載された発明において，体外の機器が体内の機器（コイル）から応答を受信しない場合に，体外の一次コイルの電力出力を低下させる構成に想到することは，当業者にとって困難である。
　第２に，本願発明１は，埋め込み可能な医療機器（例えば連続的に動作する必要がある心臓ポンプ）へ電力伝送を維持することは致命的であるため，出願人の発明の時点（本願の優先日時点）では，一次コイルと二次コイルとを十分に接続してエネルギー伝送を確保するために，二次コイルから応答を受信しない場合には一次コイルの電力を増加させることが常識であった（段落［００３７］−［００３８］参照）。当業者にとって，引用文献２に記載された非致命的な携帯電話の非接触型充電装置の構成を，致命的なシステムに関する本願発明１に適用することは困難である。」旨主張している。
　引用発明は，「充電のための交流電磁界を生体の皮膚７０を介して，体外の送電用コイル３１から受電用コイル５２に送電するステップと，体外充電器１から植え込み機器５０に通信のためのテレメータリングの動作要求信号が送信され，その要求信号を植え込み機器５０が受信し，テレメータリングの動作が可能な状態を判断することにより，体外充電器１にテレメータリング受付可能信号を送信し，植え込み機器５０のＩＤ情報を受信した体外充電器１は，その情報を基に，患者の体内の受電用コイル５２を備えた植え込み機器５０に対して充電動作を実施するのが妥当か否かの判断するステップ」を有し，充電開始時に受電用コイル５２（二次コイル）を備えた植え込み機器が５０が充電動作を実施するのが妥当か否かを判断するものであって，充電開始時に充電動作を実施することが妥当でなければ充電開始しないものであるから，「引用文献１に記載された発明において，体外の機器（充電器）が体内の生体植え込み機器から応答を受信しない状況は考えられない。」というものとはいえないし，一次コイルの電力を増加させるものではない。
　また，引用発明は，「充電情報読み取り値が予め定められた所定の範囲を逸脱した値であるときには，充電に係わる何がしかの異常があることが懸念されるため，その旨充電異常監視検出手段１０３に信号が出力され，植え込み機器５０から送信される充電監視制御情報の受信内容が充電制御動作の停止を要求する」というものであるから，充電器が充電可能範囲から離脱した場合には検知信号値が充電時の正常な範囲外となるから，充電器を取り外した場合には充電情報読み取り値が予め定められた所定の範囲を逸脱することによって充電動作が停止となるものといえ，充電開始後に，二次コイルを検知できなくなった際に一次コイルの電力を増加させるものでもない。
　したがって，これらの請求人の上記主張を採用することはできない。
第６　むすび
　以上のとおり，本願発明は，引用発明，及び，引用例２に開示された事項に基づいて当業者が容易に発明をすることができたものであるから，特許法第２９条第２項の規定により特許を受けることができない。
　そうすると，本願は，他の請求項について検討するまでもなく，拒絶すべきものである。
　よって，結論のとおり審決する。